(57)【要約】【課題】乗りかご内への干渉を抑えつつ、休憩時における安定性を向上させることのできる乗りかご用ウエストパッドを提供すること。【解決手段】エレベータの乗りかご１用のウエストパッド１０に、パッド本体部１２と、パッド接続部５０と、ガイド部材４０及びガイド穴３２と、を備える。パッド本体部１２は、エレベータの利用者が乗りかご１内で立った状態における利用者の腰の位置付近に配設されている。パッド接続部５０は、乗りかご１の側壁２とパッド本体部１２との距離を変化可能にしつつ、パッド本体部１２と側壁２とを接続する。ガイド部材４０及びガイド穴３２は、パッド接続部５０によって側壁２とパッド本体部１２との距離を変化させた場合に、パッド本体部１２と側壁２との相対角度を変化可能にパッド本体部１２と側壁２とを接続する。【選択図】図６
2012188264.tif 000002
【特許請求の範囲】
【請求項１】
エレベータの利用者が乗りかご内で立った状態における前記利用者の腰の位置付近に配設されるパッド本体部と、
前記乗りかごの側壁と前記パッド本体部との距離を変化可能にしつつ、前記パッド本体部と前記側壁とを接続するパッド接続部と、
前記パッド接続部によって前記側壁と前記パッド本体部との距離を変化させた場合に、前記パッド本体部と前記側壁との相対角度を変化可能に前記パッド本体部と前記側壁とを接続するガイド部と、
を備えることを特徴とする乗りかご用ウエストパッド。
【請求項２】
前記パッド接続部は、前記ガイド部よりも下側に配設されており、
前記ガイド部は、前記パッド接続部で前記側壁と前記パッド本体部との距離を大きくした場合には、前記パッド本体部と前記側壁との相対角度を大きくすることができるように設けられていることを特徴とする請求項１に記載の乗りかご用ウエストパッド。
【請求項３】
前記ガイド部は、前記パッド本体部と前記側壁との相対角度が大きくなるに従って、前記パッド本体部と前記側壁との相対角度が０の場合に前記側壁と平行になる面が上方を向く方向に変化させることができるように設けられていることを特徴とする請求項１または２に記載の乗りかご用ウエストパッド。
【請求項４】
前記パッド接続部は、前記側壁と前記パッド本体部との距離が縮む方向への変化を段階的に規制可能に設けられていることを特徴とする請求項１〜３のいずれか１項に記載の乗りかご用ウエストパッド。
【請求項５】
前記パッド接続部は、前記側壁と前記パッド本体部との距離が所定の距離以上になった場合には、双方の距離が縮む方向への規制を解除することを特徴とする請求項４に記載の乗りかご用ウエストパッド。
【発明の詳細な説明】
【技術分野】
【０００１】
本発明の実施形態は、乗りかご用ウエストパッドに関する。
【背景技術】
【０００２】
従来のエレベータの中には、快適にエレベータで昇降することができるように、乗りかご内に休憩用の椅子が設けられているものがある。
【先行技術文献】
【特許文献】
【０００３】
【特許文献１】実開平７−３５４６５号公報
【発明の概要】
【発明が解決しようとする課題】
【０００４】
また、エレベータの乗りかごには椅子以外の休憩用の部材が設けられているものがあり、例えば、乗りかごの側壁における、乗りかご内に人が立った状態の腰の位置付近に、不使用時に邪魔にならない程度の厚さで側壁から突出して側壁に固定されたウエストパッドが設けられているものがある。このようなエレベータでは、乗りかごに人が乗って移動する場合において乗りかご内の人が休憩をする場合、椅子の座面と比較して高い位置に設けられるウエストパッドに体重を預けて休憩することができるため、足を大きく屈伸させることなく休憩することができる。
【０００５】
しかし、このように、ウエストパッドを用いて休憩する場合、ウエストパッドにおいて乗りかごの側壁に平行になっている面に寄り掛かって休憩することになるため、休憩時の状態が不安定になる場合がある。一方、休憩時の状態を安定させるために、ウエストパッドの厚さを厚くして椅子のように座ることを可能にした場合、側壁からの突出量が大きくなるため、乗りかご内で邪魔になる場合がある。このように、エレベータの乗りかご内に設けられるウエストパッドは、利便性の点で改良の余地があった。
【０００６】
本発明は、上記に鑑みてなされたものであって、乗りかご内への干渉を抑えつつ、休憩時における安定性を向上させることのできる乗りかご用ウエストパッドを提供することを目的とする。
【課題を解決するための手段】
【０００７】
実施形態のウエストパッドは、パッド本体部と、パッド接続部と、ガイド部と、を備える。パッド本体部は、エレベータの利用者が乗りかご内で立った状態における利用者の腰の位置付近に配設されている。パッド接続部は、乗りかごの側壁とパッド本体部との距離を変化可能にしつつ、パッド本体部と側壁とを接続するものである。ガイド部は、パッド接続部によって側壁とパッド本体部との距離を変化させた場合に、パッド本体部と側壁との相対角度を変化可能にパッド本体部と側壁とを接続するものである。
【図面の簡単な説明】
【０００８】
【図１】図１は、実施形態に係るウエストパッドを備えるエレベータの乗りかごの内部の概略図である。
【図２】図２は、図１のＡ−Ａ矢視図である。
【図３】図３は、図２に示すパッド本体部の斜視図である。
【図４】図４は、パッド本体部を側壁に装着する場合における説明図である。
【図５】図５は、図４に示すウエストパッドの斜視図である。
【図６】図６は、パッド接続部を伸ばした場合における説明図である。
【図７】図７は、図６のＢ−Ｂ断面図である。
【図８】図８は、図６のＣ−Ｃ断面図である。
【発明を実施するための形態】
【０００９】
以下に、本発明に係る乗りかご用ウエストパッドの実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１０】
〔実施形態〕
図１は、実施形態に係るウエストパッドを備えるエレベータの乗りかごの内部の概略図である。同図に示す乗りかご１は、エレベータ（図示省略）を利用して建物の上階や下階に移動する際に、エレベータの利用者が中に入る箱状の構造物になっている。この乗りかご１には、当該乗りかご１に対して出入りする際に開閉する開閉扉６が設けられており、乗りかご１の内部には、乗りかご１の昇降を操作する操作パネル８が設けられている。さらに、この乗りかご１の内部には、側壁２にウエストパッド１０が設けられている。乗りかご１には、側壁２は複数形成されているが、ウエストパッド１０は、１つの側壁２に設けられているだけでもよく、複数の側壁２に設けられていてもよい。
【００１１】
このウエストパッド１０は、乗りかご１内に入った人が床面４上に立った場合における腰の位置付近に配設されており、詳しくは腰の高さの若干下方に配設されている。この位置に配設されるウエストパッド１０は、略直方体の形状で形成されており、乗りかご１内において邪魔にならない程度の厚さで側壁２から乗りかご１内に突出して設けられている。また、このように設けられるウエストパッド１０は、表面、即ち、乗りかご１の内部に面している面がクッション状の部材によって形成されている。
【００１２】
図２は、図１のＡ−Ａ矢視図である。図３は、図２に示すパッド本体部の斜視図である。ウエストパッド１０は、内部が空洞になっていると共に側壁２側の面が開口した略直方体の形状で形成されるパッド本体部１２を有している。このパッド本体部１２は、略矩形状の形状で形成されると共に、当該パッド本体部１２を側壁２に取り付けた場合に側壁２から最も離れた部分に位置する正面部１４と、正面部１４の４つの辺に接続されて正面部１４から側壁２側に向かって設けられる上面部１８と、下面部２０と、支持部３０と、を有している。即ち、上面部１８は、パッド本体部１２における上側の面として設けられており、下面部２０はパッド本体部１２における下側の面として設けられており、パッド本体部１２を側壁２に取り付けた状態でパッド本体部１２を正面部１４の厚さ方向に見た場合における左右両側の面として、側面部２２が設けられている。これによりパッド本体部１２は、正面部１４が位置する側の反対側の面が開口した略直方体の形状で形成されている。
【００１３】
また、パッド本体部１２には、パッド本体部１２を側壁２に取り付ける際に用いる支持部３０が設けられている。この支持部３０は、側面部２２と平行な向きで設けられる板状の形状で形成されており、左右両側に位置する側面部２２同士の間の２箇所に配設されている。このように２箇所に配設される支持部３０は、側面部２２同士の間の方向における間隔が所定の間隔で離間しており、共に側面部２２の形状に近似した形状で形成され、正面部１４と上面部１８と下面部２０とに接続されている。
【００１４】
この２箇所の支持部３０には、共に支持部３０の板厚方向に貫通したガイド穴３２と軸穴３４とが形成されている。このうち、ガイド穴３２は、支持部３０における上面部１８寄りの位置に形成されており、支持部３０の板厚方向に見た場合に、正面部１４が位置する側の反対側で、且つ、下方側に凸となる円弧状の形状で貫通する穴となって形成されている。換言すると、ガイド穴３２は、上面部１８の近傍から、上面部１８から離れる方向にかけて形成されているが、ガイド穴３２における上面部１８側の端部が最も正面部１４から離れており、上面部１８から離れた方向に位置する端部に向うに従って、正面部１４に近付く方向に湾曲している。
【００１５】
また、軸穴３４は、支持部３０における下面部２０寄りの位置に形成された貫通穴となっている。２箇所の支持部３０にそれぞれ形成されるガイド穴３２と軸穴３４とは、ガイド穴３２同士、及び軸穴３４同士で、上面部１８と下面部２０との間の方向における位置と、正面部１４の厚さ方向における位置とが、ほぼ同じ位置となって形成されている。
【００１６】
図４は、パッド本体部を側壁に装着する場合における説明図である。図５は、図４に示すウエストパッドの斜視図である。ウエストパッド１０は、パッド本体部１２を側壁２に取り付けることによって側壁２に設けるが、パッド本体部１２を側壁２に取り付ける場合には、パッド本体部１２の支持部３０に形成されるガイド穴３２と軸穴３４とを用いて取り付ける。つまり、側壁２におけるパッド本体部１２を取り付ける部分には、ガイド部材４０とパッド接続部５０とが設けられており、パッド本体部１２は、このガイド部材４０とパッド接続部５０とによって側壁２に取り付けられる。この場合、パッド本体部１２は、正面部１４が位置する側の反対側に位置し、当該パッド本体部１２において開口している部分が側壁２側に位置する向きで取り付ける。また、パッド本体部１２を、この向きで側壁２に取り付ける場合において正面部１４が乗りかご１の内側に面する面は、エレベータの利用者が腰掛けることができる腰掛部１６となっている。
【００１７】
また、パッド本体部１２を側壁２に取り付ける際に用いるガイド部材４０とパッド接続部５０とのうち、ガイド部材４０は、床面４と平行な方向に延びる棒状の部材として設けられており、両端部に設けられるガイド支持部材４２によって側壁２に接続されている。また、パッド接続部５０は、側壁２におけるガイド支持部材４２が接続されている部分の下方側に設けられており、支持部３０の軸穴３４も、パッド本体部１２を側壁２に取り付ける場合におけるガイド穴３２の下側に形成されている。パッド本体部１２は、これらのように設けられるガイド部材４０が支持部３０のガイド穴３２を通り、パッド接続部５０が支持部３０の軸穴３４に接続されることにより、側壁２に取り付けられている。
【００１８】
図６は、パッド接続部を伸ばした場合における説明図である。図７は、図６のＢ−Ｂ断面図である。パッド接続部５０は、複数の部材が組み合わされることにより、支持部３０に接続されている部分と側壁２との距離を変化させることができるように、伸縮可能に設けられている。即ち、パッド接続部５０は、側壁２とパッド本体部１２との距離を変化可能にしつつ、パッド本体部１２と側壁２とを接続する。詳しくは、パッド接続部５０は、支持部３０に接続されるパッド側部材５２と、側壁２に設けられる接続部支持部６４と、パッド側部材５２と接続部支持部６４とを接続する壁側部材５８とにより設けられている。このうち、パッド側部材５２と壁側部材５８は、共に所定の幅で所定の長さを有する板状の形状で形成されている。
【００１９】
これらのように設けられるパッド接続部５０が有するパッド側部材５２は、パッド本体部１２の支持部３０に形成される軸穴３４に挿入されると共に支持部３０に対してパッド側部材５２を回転可能に接続するパッド側回転軸５４によって、長さ方向における一端側が支持部３０に接続されている。また、壁側部材５８は、長さ方向における一端側が、パッド側部材５２における支持部３０に接続されている側の端部の反対側の端部に、中間回転軸６０によって回転可能に接続されている。さらに、この壁側部材５８は、パッド側部材５２に接続されている側の端部の反対側の端部が、壁部側回転軸６６によって、接続部支持部６４に対して回転可能に接続されている。
【００２０】
これにより、パッド接続部５０は、パッド側部材５２と壁側部材５８、及び壁側部材５８と接続部支持部６４とが、それぞれ回転することにより、パッド接続部５０においてパッド本体部１２に接続される部分である、パッド側回転軸５４によるパッド側部材５２と支持部３０との接続部分は、側壁２との距離が変化可能になっている。
【００２１】
ここで、パッド側回転軸５４によるパッド側部材５２と支持部３０との接続部分には、ラチェット機構（図示省略）が備えられている。このため、パッド側部材５２と支持部３０との接続部分が側壁２から離れる方向に、パッド側部材５２が支持部３０に対して回転をする場合には、一定の角度ごとに、接続部分が側壁２に近付く方向への回転が規制される。さらに、このラチェット機構には、規制解除機構が備えられており、パッド側部材５２と支持部３０との接続部分が、側壁２から最も離れる位置まで到達すると、ラチェット機構による回転の規制が解除され、この接続部分が側壁２に近付く方向への回転が可能になっている。つまり、パッド接続部５０は、側壁２とパッド本体部１２との距離が所定の距離以上になった場合には、双方の距離が縮む方向への規制を解除する。
【００２２】
また、パッド側部材５２における壁側部材５８側の端部付近には、パッド側部材５２と壁側部材５８との相対的な回転角度を規制するストッパー５６が設けられている。このストッパー５６は、パッド側部材５２と壁側部材５８との相対的な回転角度が所定の範囲内になるように設けられており、中間回転軸６０を中心として回転することによりパッド側部材５２と壁側部材５８とが直線状になった際に、壁側部材５８に当接する位置に設けられている。このため、直線状になったパッド側部材５２と壁側部材５８との相対的な回転角度が小さくなる場合には、パッド側部材５２と壁側部材５８とは、ストッパー５６が壁側部材５８から離れる方向にのみ相対的に回転をすることが可能になっている。
【００２３】
このように設けられるパッド接続部５０は、側壁２におけるパッド本体部１２が配設される部分の２箇所に設けられており、２箇所のパッド接続部５０は、パッド本体部１２に設けられる２つの支持部３０に対して同様な形態で接続されている。
【００２４】
図８は、図６のＣ−Ｃ断面図である。また、支持部３０に形成されるガイド穴３２には、ガイド部材４０が通されるが、このガイド部材４０は、長さが、パッド本体部１２に設けられる２つの支持部３０同士の距離よりも長くなっている。ガイド部材４０は、両端部に設けられるガイド支持部材４２によって側壁２に接続されている。このため、２つの支持部３０はガイド支持部材４２同士の間に位置する状態になり、ガイド部材４０は、２つの支持部３０に形成されるそれぞれのガイド穴３２を通っている。
【００２５】
このようにガイド穴３２を通っているガイド部材４０は、円弧状の形状で形成されるガイド穴３２の長さ方向にガイド穴３２内を移動可能になっている。即ち、円弧状の形状で形成されるガイド穴３２は、詳しくは、円弧状の長さ方向に略直交する方向の幅がほぼ一定となって形成されるが、ガイド部材４０は、当該ガイド部材４０の長さ方向に見た場合の断面形状における、ガイド穴３２の幅方向における長さが、ガイド穴３２の幅よりも小さくなっている。このため、ガイド部材４０は、円弧状の長さ方向にガイド穴３２内を移動可能になっている。
【００２６】
ガイド部材４０は、このようにガイド穴３２内を移動可能になっているが、ガイド部材４０は側壁２に接続され、側壁２に固定されている。このため、ガイド部材４０が支持部３０のガイド穴３２内を移動する場合には、パッド本体部１２が移動することにより、相対的に移動をする。即ち、停止しているガイド部材４０に対して、パッド本体部１２がガイド穴３２の形状である円弧状に移動することにより、ガイド部材４０はガイド穴３２内を移動することができる。
【００２７】
この実施形態に係るウエストパッド１０は、以上のごとき構成からなり、以下、その作用について説明する。このウエストパッド１０は、エレベータの乗りかご１の側壁２に設けられているが、乗りかご１内にはエレベータの利用者が入り、通常は乗りかご１内で立った状態で操作パネル８を操作して乗りかご１を昇降させることにより、利用者は上階や下階に移動する。乗りかご１内には、このようにエレベータの利用者が入るため、ウエストパッド１０は、通常時は乗りかご１内への突出量を低減させる。
【００２８】
このように、乗りかご１内へのウエストパッド１０の突出量を低減させる場合には、伸縮可能に設けられているパッド接続部５０を縮めた状態にする（図４参照）。即ち、パッド本体部１２に設けられる支持部３０とパッド接続部５０とを接続するパッド側回転軸５４が設けられている部分が側壁２に近付いた状態にする。この場合、支持部３０のガイド穴３２を通るガイド部材４０は、ガイド穴３２において最も側壁２から離れた部分となる下方側の端部付近に位置する状態になる。
【００２９】
パッド接続部５０を縮めた状態にし、ガイド部材４０が、ガイド穴３２における、側壁２から離れた端部付近に位置する状態になった場合、パッド本体部１２は、開口部分が側壁２に沿って側壁２に接触した状態になる。この場合、パッド本体部１２に形成される腰掛部１６は、側壁２に対してほぼ平行な状態になり、乗りかご１内において略水平方向を向いた状態になる。即ち、パッド本体部１２と側壁２との相対角度が０の場合には、腰掛部１６は側壁２に対してほぼ平行になる。このため、ウエストパッド１０は、パッド本体部１２の厚さの分だけ側壁２から突出した状態になる。なお、パッド接続部５０を縮めた状態にした場合には、パッド本体部１２の開口部分は、このように側壁２に接触した状態になるため、このパッド本体部１２の開口部分には、スポンジ等の弾力性を有する部材を設けるのが好ましい。
【００３０】
ウエストパッド１０は、通常時はこのように乗りかご１内への突出量を低減させるが、このウエストパッド１０を用いて休憩する場合には、側壁２からのウエストパッド１０の突出量を大きくする。具体的には、パッド本体部１２の下方側、即ち、パッド本体部１２の下面部２０側が側壁２から離れる方向にパッド本体部１２を引き出す。
【００３１】
パッド本体部１２の下方寄りの部分には、側壁２との間に伸縮可能なパッド接続部５０が接続されているため、下方側が側壁２から離れる方向にパッド本体部１２を引き出した場合には、パッド接続部５０は、各回転軸を介して接続されている各部が相対的に回転をしながら伸びる状態になる。つまり、パッド接続部５０は、パッド本体部１２とパッド接続部５０とが接続されている部分であるパッド側回転軸５４付近が側壁２から離れる方向に形態が変化する。
【００３２】
パッド本体部１２の下方を引き出した場合には、このようにパッド接続部５０が伸びることにより、下方部分が側壁２から離れるが、パッド本体部１２の支持部３０に形成されるガイド穴３２には、側壁２に固定されているガイド部材４０が通っている。このガイド穴３２は、上面部１８寄りの位置から下面部２０方向に離れるに従って、パッド本体部１２を側壁２に取り付けた状態における側壁２から離れる方向に湾曲しており、ガイド部材４０は側壁２に固定されているため、パッド本体部１２は、ガイド部材４０とガイド穴３２とによってガイドされながら側壁２から離れる。このため、パッド本体部１２は、側壁２から離れる下面部２０寄りの部分に対して、上面部１８寄りの部分は側壁２からは離れず、パッド本体部１２の全体的な角度が変化しながら、ガイド部材４０がガイド穴３２を通っている部分のパッド本体部１２の上下方向における位置が変化する。
【００３３】
パッド本体部１２は、このように下面部２０寄りの部分が側壁２から離れ、上面部１８寄りの部分は側壁２からあまり離れない方向に向きを変えることにより、パッド本体部１２の開口部分が側壁２に沿って側壁２に接触した状態では乗りかご１内において略水平方向を向いている腰掛部１６が、斜め上方を向く方向に向きを変える。ガイド部材４０とガイド穴３２とは、パッド接続部５０によって側壁２とパッド本体部１２との距離を変化させた場合に、このようにパッド本体部１２と側壁２との相対角度を変化可能にパッド本体部１２と側壁２とを接続するガイド部として設けられている。具体的には、ガイド部材４０とガイド穴３２とは、パッド接続部５０で側壁２とパッド本体部１２との距離を大きくした場合には、パッド本体部１２と側壁２との相対角度を大きくすることができるように設けられている。これにより、パッド本体部１２の下方側が引き出された場合には、パッド本体部１２と側壁２との相対角度が大きくなるに従って、腰掛部１６が上方を向く方向に変化させることができる。
【００３４】
ここで、パッド側回転軸５４によるパッド側部材５２と支持部３０との接続部分には、ラチェット機構が備えられているため、支持部３０との接続部分が側壁２から離れる方向に伸びるパッド接続部５０は、支持部３０との接続部分が側壁２に近付く方向の縮む方向への変位が段階的に規制されながら伸びる。即ち、パッド接続部５０は、側壁２とパッド本体部１２との距離が縮む方向への変化を段階的に規制可能に設けられており、このため、パッド側部材５２と支持部３０との接続部分と側壁２との距離方向における長さが、所定の長さごとに、縮む方向への変化を規制されながら伸びる。
【００３５】
これにより、パッド接続部５０が伸びることにより側壁２との相対的な角度が変化するパッド本体部１２は、所定の角度ごとに、側壁２との相対的な角度が小さくなる方向への変化を規制されながら、相対的な角度が大きくなる。具体的には、パッド本体部１２は、腰掛部１６と側壁２との相対的な角度が小さくなる方向への変化を規制されながら、腰掛部１６と側壁２との相対的な角度が大きくなる。
【００３６】
つまり、パッド本体部１２は、腰掛部１６と側壁２との相対的な角度が小さくなる方向への変化が、ラチェット機構により段階的に規制される。このため、乗りかご１内に入り込んだエレベータの利用者は、斜め上方を向く腰掛部１６に腰や臀部を接触させて体重を預けることができ、足を伸ばして立った状態でウエストパッド１０に体重を預けて休憩することができる。
【００３７】
その際に、パッド本体部１２は、腰掛部１６と側壁２との相対的な角度が小さくなる方向への変化が段階的に規制されるため、ウエストパッド１０を使用する人は、パッド本体部１２の下面部２０寄りの部分を引き出してパッド本体部１２の向きが任意の角度になった状態で、パッド本体部１２の角度、即ち、腰掛部１６の角度を維持させる。これにより、ウエストパッド１０の使用者は、休憩し易い姿勢で休憩できるようにパッド本体部１２の角度を調節して、楽な姿勢でウエストパッド１０に体重を預けて休憩することができる。
【００３８】
ウエストパッド１０を用いて休憩する場合には、このようにパッド本体部１２の角度を任意の角度に調節するが、ウエストパッド１０を使用し終わったら、側壁２に対するパッド本体部１２の相対的な角度、即ち、腰掛部１６の相対的な角度を小さくし、再び腰掛部１６が側壁２に沿った状態にする。具体的には、パッド本体部１２の支持部３０とパッド側部材５２との接続部分に備えられているラチェット機構には、規制解除機構が備えられているため、パッド本体部１２の下面部２０寄りの部分を所定以上に引き出して、側壁２に対するパッド本体部１２の相対的な角度を、所定の角度以上にする。
【００３９】
つまり、ラチェット機構は、パッド本体部１２の支持部３０とパッド側部材５２との接続部分が、側壁２から最も離れる位置まで到達すると回転の規制が解除されるため、パッド本体部１２の角度を所定の角度以上にしてラチェット機構による回転の規制を解除する。これにより、パッド接続部５０とパッド本体部１２の支持部３０との接続部分は、接続部分が側壁２に近付く方向への回転が可能になるため、パッド本体部１２の下面部２０寄りの部分を側壁２に近付けることにより、パッド本体部１２が側壁２に沿った状態にする。これにより、腰掛部１６を側壁２に対して平行な状態にし、乗りかご１内へのウエストパッド１０の突出量を低減させる。
【００４０】
以上のウエストパッド１０は、パッド接続部５０で、乗りかご１の側壁２とパッド本体部１２との距離を変化可能にしており、側壁２とパッド本体部１２との距離を変化させた場合には、ガイド部材４０とガイド穴３２とで、パッド本体部１２と側壁２との相対角度を変化可能にしている。このため、ウエストパッド１０を使用しない場合には、パッド本体部１２と側壁２との相対角度を調節することにより、側壁２からのウエストパッド１０の突出量を小さくすることができる。また、乗りかご１内のエレベータの利用者が、ウエストパッド１０を用いて休憩する際には、パッド本体部１２と側壁２との相対角度を所望の角度にすることにより、腰掛部１６に腰掛けることが可能になる。これらの結果、乗りかご１内への干渉を抑えつつ、休憩時における安定性を向上させることができる。
【００４１】
また、ガイド部材４０やガイド穴３２は、これらよりも下側に配設されるパッド接続部５０で側壁２とパッド本体部１２との距離を大きくした場合には、パッド本体部１２と側壁２との相対角度を大きくすることができるように設けられている。このため、パッド本体部１２における下方側の位置と側壁２との距離の変化させることにより、パッド本体部１２と側壁２との相対角度を変化させることができるため、エレベータの利用者がウエストパッド１０を用いて休憩する際に、より確実に腰掛部１６に腰掛易くすることができる。この結果、乗りかご１内への干渉を抑えつつ、休憩時における安定性をより確実に向上させることができる。
【００４２】
また、ガイド部材４０やガイド穴３２は、パッド本体部１２と側壁２との相対角度が大きくなるに従って腰掛部１６が上方を向く方向に変化させることができるように設けられているため、ウエストパッド１０を用いて休憩する際に、より確実に腰掛部１６に腰掛易くすることができる。この結果、乗りかご１内への干渉を抑えつつ、休憩時における安定性をより確実に向上させることができる。
【００４３】
また、パッド接続部５０は、ラチェット機構により、側壁２とパッド本体部１２との距離が縮む方向への変化を段階的に規制可能に設けられているため、双方の距離を調節してパッド本体部１２の角度を調節する際に、より確実に所望の角度にすることができる。この結果、より確実に腰掛部１６に腰掛易くすることができ、休憩時における安定性を、より確実に向上させることができる。
【００４４】
また、パッド接続部５０は、側壁２とパッド本体部１２との距離が所定の距離以上になった場合には、ラチェット機構による回転の規制を解除することができるため、双方の距離が縮む方向への規制を解除することが可能になっている。このため、側壁２とパッド本体部１２との距離を小さくする場合には、双方の距離を所定の距離以上にすることにより、容易に小さくすることができる。つまり、側壁２に対するパッド本体部１２の角度を所定の大きさ以上にすることにより、容易に相対角度を小さくすることができる。この結果、休憩時における安定性を向上させることができると共に、乗りかご１内への干渉を容易に抑えることができる。
【００４５】
また、ガイド部を、円弧状の形状で形成された穴であるガイド穴３２と、このガイド穴３２を通るガイド部材４０とによって設けているので、パッド本体部１２と側壁２との相対角度を変化させる場合には、パッド本体部１２の上下方向の位置も変化させることができる。これにより、パッド本体部１２と側壁２との相対角度を大きくして腰掛部１６に腰掛ける場合における腰掛部１６の高さを、腰の位置に合わせた適切な高さにすることができる。この結果、より確実に腰掛部１６に腰掛易くすることができ、休憩時における安定性を、より確実に向上させることができる。
【００４６】
なお、上述したウエストパッド１０では、側壁２に対するパッド本体部１２の角度を小さくなる方向への変化を規制するラチェット機構は、パッド接続部５０に設けられているが、ラチェット機構は、パッド接続部５０以外の部分に設けられていてもよい。例えば、パッド本体部１２が有する支持部３０に形成されるガイド穴３２と、このガイド穴３２に通るガイド部材４０とにより、ラチェット機構と同様に機構を構成してもよい。つまり、側壁２に対するパッド本体部１２の角度が変化する場合には、ガイド部材４０はガイド穴３２の長さ方向にガイド穴３２内を移動するが、このように移動する場合における所定の方向の移動に対する規制機構を設けてもよい。これにより、側壁２に対するパッド本体部１２の角度が変化する場合に、側壁２に対する腰掛部１６の相対的な角度が小さくなる方向の移動を規制することができ、腰掛部１６の角度を任意の角度に調節することができる。
【００４７】
また、このように、ガイド穴３２とガイド部材４０とにより、側壁２に対するパッド本体部１２の角度の変化を規制する機構を設ける場合には、パッド接続部５０のラチェット機構と同様に、側壁２とパッド本体部１２との相対角度が所定の大きさ以上になった場合には、双方の相対角度が小さくなる方向への規制を解除するようにするのが好ましい。これにより、側壁２に対するパッド本体部１２の角度、即ち、側壁２に対する腰掛部１６の角度を容易に小さくすることができ、側壁２からのウエストパッド１０の突出量を低減することができる。
【００４８】
また、上述したウエストパッド１０では、パッド接続部５０は、互いに回転軸によって接続された複数の部材を組み合わせることにより設けられているが、パッド接続部５０は、これ以外の構成によって設けられていてもよい。例えば、パッド接続部は、側壁２とパッド本体部１２とを接続する引張りばね等の弾性部材によって設けられていてもよい。また、この場合は、ガイド部として、さらに、パッド本体部１２が下方に移動した場合には下面部２０側が側壁２から離れる方向にせり出すガイドを設ける。これにより、ウエストパッド１０に力を与えない場合には、引張りばね等の弾性部材の弾性力によって、側壁２とパッド本体部１２との距離が小さい状態を維持させることができる。
【００４９】
また、ウエストパッド１０を用いて休憩する場合には、上面部１８に下向きの力を付与することにより、下面部２０側がガイドによって側壁２から離れるため、腰掛部１６を水平方向から上方寄りの方向を向かせることができ、腰掛部１６に腰掛けることができる。また、このようにウエストパッド１０を使用した後、元の状態に戻す場合には、ウエストパッド１０に付与した力を除去することにより、弾性部材の弾性力によってパッド本体部１２が側壁２に引き付けられるため、腰掛部１６が側壁２に対して平行な状態にすることができる。これらの結果、より容易に、乗りかご１内への干渉を抑えつつ、休憩時における安定性を向上させることができる。
【００５０】
また、上述したウエストパッド１０では、パッド本体部１２の角度を変化させる場合には、エレベータの利用者が付与する力によって変化させているが、ウエストパッド１０は、エレベータの利用者が付与する力以外によってパッド本体部１２の角度を変化させることができるように設けてもよい。例えば、電気モータや、油圧シリンダ、空気圧シリンダ等のアクチュエータと、これらを駆動する電源や油圧源等の動力源とを設け、これらのアクチュエータと動力源とによって発生する力によって、パッド本体部１２の角度を変化させてもよい。これにより、パッド本体部１２の角度を、より容易に変化させることができ、ウエストパッド１０の使い勝手を向上させることができる。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１  乗りかご
２  側壁
４  床面
１０  ウエストパッド
１２  パッド本体部
１４  正面部
１６  腰掛部
１８  上面部
２０  下面部
３０  支持部
３２  ガイド穴
３４  軸穴
４０  ガイド部材
５０  パッド接続部
５２  パッド側部材
５８  壁側部材
６４  接続部支持部
【図１】
2012188264.tif 000003
【図２】
2012188264.tif 000004
【図３】
2012188264.tif 000005
【図４】
2012188264.tif 000006
【図５】
2012188264.tif 000007
【図６】
2012188264.tif 000008
【図７】
2012188264.tif 000009
【図８】
2012188264.tif 000010